(57)【要約】      （修正有）【課題】ファイル用台紙の内面に、用箋等を綴じる綴じ具が設けられている綴じ具付きファイルにおいて、ファイル用台紙と綴じ具とは、使用時には強固に固定されており、不使用時には容易に分離できるようにする。【解決手段】綴じ具(2)は、ファイル用台(1)の内面所定位置に取付部材(R)によって取付けられる基板(20)とそれに具備されて用箋等を綴じ込む綴じ杆(21)とからなり、取付部材(R)は、基板(20)ファイル用台紙(1)に形成された貫通孔(13)(23)を貫通し且つ一端にこれよりも大径な頭部(32)を有するスリーブ(3)と、スリーブ(3)内に前記一端側から圧入して他端を拡径させるリベットピン(4)とから構成され、リベットピン(4)は、スリーブ(3)の前記他端側から押されることにより、外方へ押し出し可能に構成されていること。【選択図】図１
0003114442.tif 000002
【実用新案登録請求の範囲】
【請求項１】
背表紙板の左右両側に表表紙板及び裏表紙板がそれぞれ折り曲げ自在に連設されているファイル用台紙の内面に、用箋等を綴じる綴じ具が設けられている綴じ具付きファイルにおいて、
前記綴じ具は、前記ファイル用台紙の内面所定位置に取付部材によって取付けられる基板と、前記基板に具備されて前記用箋等を綴じ込む綴じ杆とからなり、
前記取付部材は、前記基板及び前記ファイル用台紙に形成された貫通孔を貫通し且つ一端に前記貫通孔よりも大径な頭部を有するスリーブと、前記スリーブ内に前記一端側から圧入して前記スリーブの他端を前記貫通孔の外方にて抜け止め状態に拡径させるリベットピンとから構成されているものとし、
前記リベットピンは、前記スリーブの前記他端側から押されることにより、前記スリーブの前記一端側へ押し出し可能に構成されていることを特徴とする綴じ具付きファイル。
【請求項２】
請求項１に記載の綴じ具付きファイルにおいて、前記スリーブの頭部に凹陥部が設けられ、前記リベットピンは、前記凹陥部内にちょうど嵌入可能な大きさ及び肉厚の扁平頭部を有する構造としたことを特徴とする綴じ具付きファイル。
【請求項３】
請求項１又は２に記載の綴じ具付きファイルにおいて、前記綴じ具は、基板及び綴じ杆が共に金属製の綴じ金具とし、
前記ファイル用台紙は、プラスチックシートの積層体からなる綴じ具付きファイル。
【考案の詳細な説明】
【技術分野】
【０００１】
本考案は、綴じ具付きファイル、特に、ファイル用台紙の内面に、用箋を綴じるための綴じ具が取付けられている綴じ具付きファイルに関する。
【背景技術】
【０００２】
綴じ具付きファイルは、背表紙板と、その左右両側に折り曲げ自在に連設された表表紙板及び裏表紙板とからなるファイル用台紙の、前記背表紙板の内面中央、又は、裏表紙板の内面の前記背表紙板に沿った中央部分に、基板と前記基板に装着されて用箋を綴じる綴じ杆とからなる綴じ具が取付けられており、前記ファイル用台紙は、紙又は樹脂シートから構成されており、又、綴じ具としては、基板及び綴じ杆共に金属製のものが一般的である。
【０００３】
従来の綴じ具付きファイルでは、前記基板は前記ファイル用台紙に、リベット止め又はカシメ止め等により強固に固定されており、前記綴じ具が前記ファイル用台紙から不用意に外れるおそれはない。よって、前記綴じ具に大容量の用箋を綴じ込んでも、そのままの状態で前記ファイルを長期保管も可能である。
【考案の開示】
【考案が解決しようとする課題】
【０００４】
近年、環境問題を考慮して、多くの地方自治体が再生資源ごみの分別回収を実施しており、紙、樹脂、金属、ガラス等というように原材料毎に分別して廃棄処分しなければならない。よって、上記したような綴じ具付きファイルを廃棄する場合、樹脂製のファイル用台紙と、金属製の綴じ具と、前記綴じ具に綴じ込まれている用箋とを分別して廃棄しなければならないが、前記ファイル用台紙と前記綴じ具とは、強固に結合されているため、両者は容易に分離することができず、不要になったファイルの廃棄処分が困難であるといった問題がある。
【０００５】
本考案は、『背表紙板の左右両側に表表紙板及び裏表紙板がそれぞれ折り曲げ自在に連設されているファイル用台紙の内面に、用箋等を綴じる綴じ具が設けられている綴じ具付きファイル』において、前記ファイル用台紙と前記綴じ具とは、使用時には強固に固定されており、不使用時には容易に分離できるようにすることを課題とする。
【課題を解決するための手段】
【０００６】
上記課題を解決する為の請求項１に係る考案の技術的手段は、『前記綴じ具は、前記ファイル用台紙の内面所定位置に取付部材によって取付けられる基板と、前記基板に具備されて前記用箋等を綴じ込む綴じ杆とからなり、
前記取付部材は、前記基板及び前記ファイル用台紙に形成された貫通孔を貫通し且つ一端に前記貫通孔よりも大径な頭部を有するスリーブと、前記スリーブ内に前記一端側から圧入して前記スリーブの他端を前記貫通孔の外方にて抜け止め状態に拡径させるリベットピンとから構成されているものとし、
前記リベットピンは、前記スリーブの前記他端側から押されることにより、前記スリーブの前記一端側へ押し出し可能に構成されていること』を特徴とする。
前記基板を前記ファイル用台紙の所定位置に載置し、両者を貫通する貫通孔にスリーブを差し込む。前記スリーブの長さは、前記基板とファイル用台紙とを重ねたときの厚みより長く設定しておき、前記貫通孔内に挿入させて、前記スリーブの一端に設けられている頭部で抜け止め状態に仮固定した時点で、他端側は前記貫通孔よりも外方へ突出しているものとする。その状態で、前記スリーブ内に、リベットピンを前記一端側から圧入させる。前記リベットピンの圧入により、前記スリーブの他端は前記貫通孔の直径よりも大径に拡径されるように設定されていることから、前記他端側も抜け止め状態となる。これにより、基板は前記ファイル用台紙に取り付けられることとなり、その取り付け状態は維持され不用意に外れることはないから、従来のもののように、大容量の用箋を綴じ杆で綴じ込むことができ、綴じた状態のまま長期保存が可能となる。
【０００７】
尚、綴じ杆としては、用箋に設けた閉じ穴に差し込んで綴じ込む複数のリング状又はパイプ状のものや、バネの付勢力を利用して基板と綴じ杆との間に用箋を挟み込む形式のもの等が採用可能である。
【０００８】
そして、前記リベットピンを前記スリーブの他端側から一端側へ押すと、前記リベットピンは前記スリーブの前記一端側へ押し出されることとなる。リベットピンがスリーブから外れると、前記スリーブの前記他端側を元通りの径に縮径させることができるから、リベットピンをスリーブから抜き取った後、前記スリーブを貫通孔から抜き取れば、前記取付部材による取付けを解除することができる。これにより、基板をファイル用台紙から取り外すことができ、綴じ具付きファイルは、ファイル用台紙、綴じ具、及び、リベットピンとスリーブとに分離することができる。
【０００９】
請求項２に係る発明の綴じ具付きファイルは、請求項１において、『前記スリーブの頭部に凹陥部が設けられ、前記リベットピンは、前記凹陥部内にちょうど嵌入可能な大きさ及び肉厚の扁平頭部を有する構造とした』もので、リベットピンをスリーブの頭部側から最終差込み位置に達するまで差し込むと、リベットピンに設けられている扁平頭部がスリーブの頭部に設けられている凹陥部内にちょうど内嵌し、前記スリーブの頭部からリベットピンの扁平頭部が突出することがない。
【００１０】
請求項３に係る発明の綴じ具付きファイルは、請求項１又は請求項２において、『前記綴じ具は、基板及び綴じ杆が共に金属製の綴じ金具とし、
前記ファイル用台紙は、プラスチックシートの積層体からなる』ものであり、廃棄処分の際に、前記取付部材を取り外すことにより、金属製の綴じ具と、樹脂製のファイル用台紙及び取付部材とに容易に分離して廃棄することができる。
【考案の効果】
【００１１】
以上のように、本考案によれば、スリーブとリベットピンからなる取付部材によって、綴じ具の基板をファイル用台紙に取付れば、従来のものと同様に、長期使用にも耐える丈夫な綴じ具付きファイルを提供することができる。そして、必要に応じて、前記リベットピンをスリーブから押し出して、前記取付部材を取り外せば、ファイル用台紙から綴じ具が取り外され、前記ファイル用台紙と、綴じ具と、取付部材とに容易に分離することができる。よって、請求項３に係る発明のように、ファイル用台紙と綴じ具とが、例えば、樹脂と金属といった異なる材質のもので構成されている場合でも、ファイルを廃棄する際に、樹脂製のファイル用台紙と、金属製の綴じ具と、取付部材と、さらに、綴じ具によって綴じ込まれている用箋（紙）とに容易に分別でき、資源のリサイクルのための分別回収に対応させることができる。
【００１２】
又、請求項２の考案によれば、スリーブの頭部からリベットピンの扁平頭部が突出することなく、リベットピンをスリーブに組み付けることができるから、基板又はファイル用台紙に露出するスリーブの頭部の突出高さを低く設定することができ、ファイルの外観性が向上する。
【考案を実施するための最良の形態】
【００１３】
以下に、本考案の実施の形態について添付図面を参照しながら説明する。
図１に示したものは、綴じ具付きファイルの一例の分解斜視図であり、背表紙板(10)の左右両側にそれぞれ境界線に沿って折り曲げ自在に形成された表表紙板(11)と裏表紙板(12)とを連設させた構成のファイル用台紙(1)の、前記裏表紙板(12)の内面の前記背表紙板(10)との境界線近傍の中央部分に、金属製基板(20)と用箋を綴じるための２つの金属製リング(21)(21)とからなるリング式綴じ具(2)を、プラスチックリベット(R)によって綴じ付ける形式のファイルである。
【００１４】
前記金属製リング(21)は、それぞれ一対の円弧状杆(21a)(21b)からなり、それぞれの基端部は前記金属製基板(20)の両端近傍の所定位置に２つずつ設けられている差込穴(22)(22)にそれぞれ差し込まれると共に、先端部が開閉自在に取付けられて、２穴対応の書類等の用箋、又は、中袋等を綴じるように構成されている。
【００１５】
又、ファイル用台紙(1)は、同図の拡大図に示すように、発泡プラスチックシート(S1)の表裏両面にそれぞれ結合層(S2)(S2)を介在させて各結合層(S2)(S2)上に前記発泡プラスチックシート(S1)よりも薄く形成された硬性プラスチックシート(S3)(S3)を積層させて５層構造のシートとし、該５層構造のシートを圧縮成形して形成された５層圧縮複合プラスチックシートで構成されているものとする。
【００１６】
又、上記シートから、結合層(S2)(S2)を除き、前記発泡プラスチックシート(S1)とその表裏に積層させる硬性プラスチックシート(S3)(S3)との３層構造のシートとしても良い。
尚、前記表面側と裏面側に見られる硬性プラスチックシート(S3)(S3)は色違いに形成することも、同一色に形成することも可能である。
【００１７】
この綴じ具(2)をファイル用台紙(1)の所定位置に取り付けるために、前記綴じ具(2)の金属製基板(20)の長手方向の両端と、これに対応するファイル用台紙(1)の裏表紙板(12)における、背表紙板(10)寄りの所定位置には、それぞれ貫通孔(23)(13)を貫通させている。
【００１８】
そして、これら貫通孔(13)(23)が連通するように、金属製基板(20)を、ファイル用台紙(1)の裏表紙板(12)の内面に載置させた状態にて、前記プラスチックリベット(R)で両者を結合させる。
【００１９】
プラスチックリベット(R)は、図１及び図２の(A)及び(B)に示すように、前記貫通孔(13)(23)に密に挿通可能な軸部(31)の一端に前記貫通孔(13)(23)よりも大径な頭部(32)が設けられているスリーブ(3)と、前記スリーブ(3)内を軸線方向に貫通している挿通孔(34)に圧入可能な軸部(41)と前記スリーブ(3)の頭部(32)に設けられた凹陥部(33)にちょうど嵌入可能な大きさの扁平頭部(42)を有するリベットピン(4)とからなり、前記スリーブ(3)の軸部(31)には、軸線に沿って複数のスリット(30)が軸部(31)の他端に開放するように形成されており、挿通孔(34)の直径は、凹陥部(33)に開放する一端側においては、前記リベットピン(4)の軸部(41)の直径と略一致する大きさに設定されており、挿通孔(34)内に設けられた円弧状部(35)よりも他端側は縮径された構造となっている。
【００２０】
このプラスチックリベット(R)で、綴じ具(2)の金属製基板(20)を、ファイル用台紙(1)の裏表紙板(12)に取付けるには、両者に連通するように設けられた貫通孔(13)(23)に、裏表紙板(12)の外面側からスリーブ(3)の軸部(31)を挿入し、裏表紙板(12)の表面に、スリーブ(3)の頭部(32)を抜け止め状態に仮固定させる。このとき、前記金属製基板(20)の貫通孔(23)から、軸部(31)の前記円弧状部(35)よりも他端側が突出するように、前記軸部(31)の長さ及び円弧状部(35)の形成位置は設定されているものとする。
【００２１】
その状態で、前記スリーブ(3)の頭部(32)側から、挿通孔(34)へ、リベットピン(4)の軸部(41)を圧入させる。挿通孔(34)の直径は上記したとおりであるから、凹陥部(33)に開放している側から前記挿通孔(34)内に軸部(41)を圧入させることができ、軸部(41)の先端が円弧状部(35)に当接しても圧入を継続させると、前記軸部(31)には、複数のスリット(30)が設けられていることから、前記軸部(31)の他端側は、図３に示すように、前記軸部(41)によって拡径させられ、金属製基板(20)の貫通孔(23)に対して抜け止め状態となる。
【００２２】
このとき、リベットピン(4)の扁平頭部(42)は、スリーブ(3)の凹陥部(33)内に、ちょうど嵌り込むこととなり、裏表紙板(12)の外面へは前記スリーブ(3)の頭部(31)のみが突出する態様となる。このように、裏表紙板(12)からのプラスチックリベット(R)の突出高さを最低とすることができるから、体裁が良いものとなる。
【００２３】
プラスチックリベット(R)の組み付けにより、金属製基板(20)はファイル用台紙(1)の裏表紙板(12)の内面に強固に取付けられることとなり、金属製リング(21)に多数の用箋を綴じ込んでも不用意に外れることなく、長期保管用のファイルとして利用することができる。
【００２４】
そして、上記綴じ具付きファイルを廃棄するには、分別回収に対応させるために、樹脂製のファイル用台紙(1)とスリーブ(3)、金属製の綴じ具(2)とに分離しなければならない。そのために、スリーブ(3)をファイル用台紙(1)及び綴じ具(2)から取り外す必要がある。
【００２５】
それには、リベットピン(4)の軸部(41)の先端に設けられている凹部(40)を先の尖ったもので押して、リベットピン(4)をスリーブ(3)の一端側へ移動させ、スリーブ(3)から抜き取る。軸部(41)がスリーブ(3)の挿通孔(34)から抜き取られることにより、前記軸部(41)によって、強制的に拡径されていた前記スリーブ(3)の軸部(31)の他端部分を樹脂の弾性復帰により、元の径に戻すことができるため、前記スリーブ(3)を、金属製基板(20)の貫通孔(23)及び裏表紙板(12)の貫通孔(13)から抜き取ることができる。
【００２６】
スリーブ(3)が抜き取られることにより、金属製基板(20)はファイル用台紙(1)から分離でき、プラスチックリベット(R)と、プラスチックシートの積層体からなるファイル用台紙(1)と、金属製の綴じ具(2)と、前記綴じ具(2)の金属製リング(21)に綴じこまれていた紙製の用箋又は樹脂製の中袋等をそれぞれ分別して廃棄することができる。
【００２７】
上記実施の形態では、２穴対応のリングバインダー形式のファイルに実施したが、これを、図４に示すような、レバー(24)の揺動操作によって２つのリング(21)(21)を開閉させる形式の所謂レバー式の綴じ具に実施しても良く、又、図５に示すように、多穴対応のバインダー式の綴じ具(2)の金属製基板(20)とファイル用台紙(1)との結合に、上記プラスチックリベット(R)を採用してもよい。
【００２８】
さらに、図６に示すような、２本のパイプ(25)にピン（図示せず）を通して開放自在に固定する形式のパイプ式の綴じ具綴じ具(2)であっても、図７に示すような、スプリングファイル、又はフラットファイルに採用しても良い。
【００２９】
上記各実施の形態では、閉じ穴を設けた用箋を綴じる形式のファイルの例を挙げたが、図８の(A)及び(B)に示すように、用箋の一辺中央域を挟み込む押え片(26)(27)を具備するＺ式ファイルやクリップファイルの綴じ具(2)のファイル用台紙(1)への結合に実施しても良い。
【００３０】
各実施の形態における綴じ具(2)は、一般に、金属製であり、これを紙製又は樹脂製のファイル用台紙(1)にプラスチックリベット(R)によって取付けられて使用されているものであり、前記プラスチックリベット(R)のスリーブ(3)からリベットピン(4)を抜き取れば、ファイル用台紙(1)と綴じ具(2)とプラスチックリベット(R)とは容易に分離でき、分別廃棄できることとなる。
【００３１】
以上、綴じ具(2)の例をいくつか挙げたが、これらに限定されるものではなく、他の綴じ具(2)を具備させた綴じ具付きファイルであっても良いことは言うまでもなく、又、一枚の台紙に綴じ具が設けられているクリップボードに実施することも可能である。
【図面の簡単な説明】
【００３２】
【図１】本考案の実施の形態によるファイルであって、リング式綴じ具を有するファイルの分解斜視図。
【図２】本考案の実施の形態の綴じ具付きファイルの綴じ具をファイル用台紙に取付けるための取付手段であって、(A)はスリーブの断面図であり、(B)は、リベットピンの断面図。
【図３】本考案の実施の形態の綴じ具付きファイルの綴じ具をファイル用台紙に取付けるための取付手段の組み付け状態を示す断面図。
【図４】本考案の他の実施の形態によるファイルであって、バインダー式綴じ具を有するファイルの説明図。
【図５】本考案の他の実施の形態によるファイルであって、レバー式綴じ具を有するファイルの説明図。
【図６】本考案の他の実施の形態によるファイルであって、パイプ式綴じ具を有するファイルの説明図。
【図７】本考案の他の実施の形態によるファイルであって、スプリング式綴じ具を有するファイルの説明図。
【図８】本考案の他の実施の形態によるファイルであって、(A)はＺ式綴じ具を有するファイル、(B)はクリップファイルを示す説明図。
【符号の説明】
【００３３】
(1) ・・・・・・ファイル用台紙
(10)・・・・・・背表紙板
(11)・・・・・・表表紙板
(12)・・・・・・裏表紙板
(13)・・・・・・貫通孔
(2) ・・・・・・綴じ具
(20)・・・・・・基板
(21)・・・・・・綴じ杆（金属製リング）
(23)・・・・・・貫通孔
(3) ・・・・・・スリーブ
(32)・・・・・・頭部
(4) ・・・・・・リベットピン
(R) ・・・・・・取付部材（プラスチックリベット）
【図１】
0003114442.tif 000003
【図２】
0003114442.tif 000004
【図３】
0003114442.tif 000005
【図４】
0003114442.tif 000006
【図５】
0003114442.tif 000007
【図６】
0003114442.tif 000008
【図７】
0003114442.tif 000009
【図８】
0003114442.tif 000010